(57)【要約】【課題】簡単かつ正確に固定レンズを組み付けることができるレンズ装置を提供する。【解決手段】前固定筒１６は、その後端部を後固定筒１８の先端内周部に形成された第２嵌合部４８に嵌めて、後固定筒１８の同軸上に連結される。第２嵌合部４８には、第３レンズＬ３のレンズ保持枠Ｆ３が収容配置されており、その上に付勢リング１２２が重ねて配置されている。前固定筒１６を後固定筒１８に連結すると、前固定筒１６の後端部１６に形成された押圧部１２０が付勢リング１２２のバネ片１２６を押圧する。この結果、第３レンズＬ３のレンズ保持枠Ｆ３が付勢リング１２２に押されて、第２嵌合部４８の底面に押し付けられ、所定位置に固定される。【選択図】  図２
2011095617.tif 000002
【特許請求の範囲】
【請求項１】
後筒と、
前記後筒の先端外周部に形成されたフランジ部と、
前記後筒の先端内周部に形成された凹部と、
後端部が前記凹部に嵌められて、前記後筒の先端同軸上に取り付けられる前筒と、
前記前筒の後端面に形成された複数の連結用ネジ穴と、
前記各連結用ネジ穴に対応して前記フランジ部に形成された複数の連結用貫通穴と、
前記前筒が取り付けられた前記後筒に対して、前記各連結用貫通穴に通して、前記各連結用ネジ穴に螺合させることにより、前記後筒を前記前筒に固定する複数の連結用ネジと、
内周部にレンズが保持され、前記凹部の内側に嵌め込まれて、前記後筒の内側に配置されるレンズ保持枠と、
前記レンズ保持枠の後端に前記レンズの光軸と直交して形成された基準面と、
前記凹部内に形成され、前記凹部内に配置された前記レンズ保持枠の前記基準面が当接されて、前記レンズ保持枠を前記後筒の軸に対して垂直に保持する当接部と、
外周部に軸方向に変位する複数のバネ片を有し、前記凹部内に配置された前記レンズ保持枠の上に重ねられて、前記凹部内に配置されるリング状の付勢部材と、
前記付勢部材の前記バネ片に対応して前記前筒の後端に複数形成され、前記前筒が前記後筒に取り付けられると、前記凹部内に配置された前記付勢部材の前記バネ片を押圧して、前記レンズ保持枠の前記基準面を前記当接部に押し当てて、前記レンズ保持枠を前記凹部内に固定する押圧部と、
を備えたことを特徴とするレンズ装置。
【請求項２】
前記付勢部材には、前記連結用ネジ穴と同じ数の前記バネ片が設けられ、前記各バネ片が前記各連結用ネジ穴の近傍に位置して、前記付勢部材が前記凹部内に配置されるように位置決めする付勢部材位置決め手段を備えたことを特徴とする請求項１に記載のレンズ装置。
【請求項３】
前記付勢部材位置決め手段は、前記凹部内に設けられた付勢部材位置決めピンと、前記付勢部材に設けられ、前記付勢部材位置決めピンが嵌合される付勢部材位置決め嵌合部で構成されることを特徴とする請求項２に記載のレンズ装置。
【請求項４】
前記付勢部材位置決めピンの上に載置されて、前記凹部内に配置される絞りユニットと、
前記付勢部材位置決めピンの頂部に形成された絞りユニット固定用ネジ穴と、
前記絞りユニット固定ネジ穴に対応して前記絞りユニットに形成された絞りユニット固定用貫通穴と、
前記付勢部材位置決めピンの上に載置された前記絞りユニットに対して、前記絞りユニット固定用貫通穴に通して、前記絞りユニット固定用ネジ穴に螺合させることにより、前記絞りユニットを前記付勢部材位置決めピンに固定する絞りユニット固定用ネジと、
を備えたことを特徴とする請求項３に記載のレンズ装置。
【発明の詳細な説明】
【技術分野】
【０００１】
本発明はレンズ装置に係り、特にレンズ鏡胴内にレンズが固定して取り付けられるレンズ装置に関する。
【背景技術】
【０００２】
対物側から順に固定レンズ、移動レンズ、固定レンズ、移動レンズが配置される４群のレンズ装置では、第１群の固定レンズと第３群の固定レンズとが、レンズ鏡胴を構成する固定筒に固定して組み付けられる。第３群の固定レンズは、第２群の移動レンズと第４群の移動レンズとの間に配置されることから、組み付けが難しいという問題がある。そこで、固定筒を前後に分割し、一方の固定筒の端面に第３群の固定レンズを組み付けた後、両者を連結する方法が知られている（特許文献１等）。この際、第３群の固定レンズは、そのレンズ保持枠を複数箇所を一方の固定筒の端面にネジ止めして組み付けられる。
【先行技術文献】
【特許文献】
【０００３】
【特許文献１】特開２００７−１４８０２１号公報
【発明の概要】
【発明が解決しようとする課題】
【０００４】
しかしながら、レンズ保持枠をネジ止めして固定筒に組み付けると、ネジの締結部でレンズ保持枠が撓み、光軸のズレや傾きが生じるという欠点がある。
【０００５】
本発明は、このような事情に鑑みてなされたもので、簡単かつ正確に固定レンズを組み付けることができるレンズ装置を提供することを目的とする。
【課題を解決するための手段】
【０００６】
請求項１に係る発明は、前記目的を達成するために、後筒と、前記後筒の先端外周部に形成されたフランジ部と、前記後筒の先端内周部に形成された凹部と、後端部が前記凹部に嵌められて、前記後筒の先端同軸上に取り付けられる前筒と、前記前筒の後端面に形成された複数の連結用ネジ穴と、前記各連結用ネジ穴に対応して前記フランジ部に形成された複数の連結用貫通穴と、前記前筒が取り付けられた前記後筒に対して、前記各連結用貫通穴に通して、前記各連結用ネジ穴に螺合させることにより、前記後筒を前記前筒に固定する複数の連結用ネジと、内周部にレンズが保持され、前記凹部の内側に嵌め込まれて、前記後筒の内側に配置されるレンズ保持枠と、前記レンズ保持枠の後端に前記レンズの光軸と直交して形成された基準面と、前記凹部内に形成され、前記凹部内に配置された前記レンズ保持枠の前記基準面が当接されて、前記レンズ保持枠を前記後筒の軸に対して垂直に保持する当接部と、外周部に軸方向に変位する複数のバネ片を有し、前記凹部内に配置された前記レンズ保持枠の上に重ねられて、前記凹部内に配置されるリング状の付勢部材と、前記付勢部材の前記バネ片に対応して前記前筒の後端に複数形成され、前記前筒が前記後筒に取り付けられると、前記凹部内に配置された前記付勢部材の前記バネ片を押圧して、前記レンズ保持枠の前記基準面を前記当接部に押し当てて、前記レンズ保持枠を前記凹部内に固定する押圧部と、を備えたことを特徴とするレンズ装置を提供する。
【０００７】
本発明では、次の手順でレンズが組み付けられる。まず、レンズを保持したレンズ保持枠を後筒の先端内周部に形成された凹部の内側に嵌め込む。次に、凹部内に配置されたレンズ保持枠の上に付勢部材を重ねて配置する。次に、前筒の後端部を凹部に嵌め込む。次に、連結用貫通穴に連結用ネジを通し、連結用ネジ穴に螺合させることにより、前筒と後筒とを連結する。前筒と後筒とを連結用ネジで連結すると、前筒の後端部に形成された押圧部が、付勢部材のバネ片に当接し、付勢部材を後筒に向けて押圧する。この結果、レンズ保持枠が、付勢部材によって後筒側に付勢され、その後端に形成された基準面が当接部に押し当てられる。これにより、後筒の軸に対して、垂直な姿勢でレンズが所定位置に組み付けられる。
【０００８】
請求項２に係る発明は、前記目的を達成するために、前記付勢部材には、前記連結用ネジ穴と同じ数の前記バネ片が設けられ、前記各バネ片が前記各連結用ネジ穴の近傍に位置して、前記付勢部材が前記凹部内に配置されるように位置決めする付勢部材位置決め手段を備えたことを特徴とする請求項１に記載のレンズ装置を提供する。
【０００９】
本発明によれば、連結用ネジ穴の数と同じ数のバネ片が付勢部材に設けられる。そして、各バネ片が、各連結用ネジ穴の近傍に位置するように、付勢部材位置決め手段によって位置決めされて、付勢部材が凹部内に配置される。このように、各連結用ネジ穴の近傍にバネ片を配置し、連結用ネジ穴の近傍でバネ片を押圧する構成とすることにより、安定して付勢部材を押圧することができる。
【００１０】
請求項３に係る発明は、前記目的を達成するために、前記付勢部材位置決め手段は、前記凹部内に設けられた付勢部材位置決めピンと、前記付勢部材に設けられ、前記付勢部材位置決めピンが嵌合される付勢部材位置決め嵌合部とで構成されることを特徴とする請求項２に記載のレンズ装置を提供する。
【００１１】
本発明によれば、付勢部材位置決め手段が、凹部内に設けられた付勢部材位置決めピンと、付勢部材に設けられた付勢部材位置決め嵌合とで構成される。これにより、付勢部材位置決めピンを付勢部材位置決め嵌合部に嵌合させるだけで、簡単に付勢部材を位置決めすることができる。
【００１２】
請求項４に係る発明は、前記目的を達成するために、前記付勢部材位置決めピンの上に載置されて、前記凹部内に配置される絞りユニットと、前記付勢部材位置決めピンの頂部に形成された絞りユニット固定用ネジ穴と、前記絞りユニット固定用ネジ穴に対応して前記絞りユニットに形成された絞りユニット固定用貫通穴と、前記付勢部材位置決めピンの上に載置された前記絞りユニットに対して、前記絞りユニット固定用貫通穴に通して、前記絞りユニット固定用ネジ穴に螺合させることにより、前記絞りユニットを前記付勢部材位置決めピンに固定する絞りユニット固定用ネジと、を備えたことを特徴とする請求項３に記載のレンズ装置を提供する。
【００１３】
本発明によれば、付勢部材位置決め手段と絞りユニットを固定する手段とが兼用される。これにより、部品点数を削減できるとともに、組み立て工数も削減することができる。
【発明の効果】
【００１４】
本発明によれば、簡単かつ正確に固定レンズを組み付けることができる。
【図面の簡単な説明】
【００１５】
【図１】本発明に係るレンズ装置の一実施形態を示す断面図
【図２】第３レンズの組み立て展開図
【図３】後固定筒の先端部の構造を示す斜視図
【図４】前固定筒の後端部の構造を示す斜視図
【図５】第３レンズが組み付けられた時の後固定筒の先端部の構造を示す斜視図
【図６】付勢リングが取り付けられた時の後固定筒の先端部の構造を示す斜視図
【図７】付勢リングが取り付けられた時の後固定筒の先端部の構造を示す拡大斜視図
【図８】絞りユニットが取り付けられた時の後固定筒の先端部の構造を示す斜視図
【発明を実施するための形態】
【００１６】
以下、添付図面に従って本発明に係るレンズ装置の好ましい実施の形態について詳述する。
【００１７】
＜全体構成＞
図１は、本発明に係るレンズ装置の一実施形態を示す断面図である。
【００１８】
同図に示すレンズ装置１０は、フォーカス機構、ズーム機構及びアイリス機構を備えた監視カメラ用のレンズ装置であり、そのレンズ鏡胴１２の内部には、撮影光軸Ｏに沿って、前側から順に第１レンズＬ１、第２レンズＬ２、第３レンズＬ３、第４レンズＬ４が配置されている。そして、第２レンズＬ２と第３レンズＬ３との間に絞りユニット１４が組み込まれている。
【００１９】
なお、同図において、各レンズＬ１〜Ｌ４は、１枚のレンズで記載されているが、各レンズＬ１〜Ｌ４は、少なくとも１枚のレンズで構成されている。
【００２０】
第１レンズＬ１と第３レンズＬ３は固定レンズであり、それぞれレンズ保持枠Ｆ１、Ｆ３に保持されて、レンズ鏡胴１２内の所定の位置に固定して取り付けられている。
【００２１】
一方、第２レンズＬ２と第４レンズＬ４は移動レンズであり、それぞれレンズ保持枠Ｆ２、Ｆ４に保持されて、レンズ鏡胴１２内を撮影光軸Ｏに沿って前後移動自在に取り付けられている。レンズ装置１０は、第２レンズＬ２を移動させることにより、ズーミングが行われ、第４レンズＬ４を移動させることにより、フォーカシングが行われる。
【００２２】
レンズ鏡胴１２は、主として、前固定筒１６と、その前固定筒１６の後端同軸上に連結された後固定筒１８と、前固定筒１６の外周部に回動自在に設けられた前回転筒２０と、後固定筒１８の外周部に回動自在に設けられた後回転筒２２とで構成されている。
【００２３】
前固定筒１６は、円筒状に形成されている。この前固定筒１６の先端外周には、フランジ部１６Ａが形成されている。また、その先端内周部には、円環状の凹部２４が形成されている。
【００２４】
第１レンズＬ１のレンズ保持枠Ｆ１は、その外周部にフランジ部２５が形成されており、このフランジ部２５を前固定筒１６の先端内周部に形成された凹部２４に嵌め込み、接着剤で接着することにより、前固定筒１６に固定して取り付けられる。この際、第１レンズＬ１のレンズ保持枠Ｆ１は、第１レンズＬ１の傾きを調整して、前固定筒１６に接着される。
【００２５】
前回転筒２０は、円筒状に形成されており、その先端外周にフランジ部２０Ａが形成されている。この前回転筒２０の内径は、前固定筒１６の外径に対応して形成されている。前回転筒２０は、その内周部を前固定筒１６の外周部に嵌めることにより、前固定筒１６の外周部を摺動自在に支持される。
【００２６】
また、この前回転筒２０の内周部後端には、周方向の３カ所にピン２６が突出して形成されている。この３本のピン２６は、前固定筒１６の外周部後端に周方向に沿って形成されたガイド溝２８に係合されている。前回転筒２０は、この３本のピン２６が、ガイド溝２８に係合することにより、軸方向の移動が規制され、前固定筒１６の外周部の周りを回動自在に支持される。
【００２７】
また、この前回転筒２０の先端面には、撮影光軸Ｏを中心に所定の内径を有する環状の凹部３０が形成されている。この凹部３０には、リング状に形成された波形バネ３２が嵌め込まれている。波形バネ３２は、前回転筒２０が前固定筒１６の外周部に装着されると、前固定筒１６のフランジ部１６Ａの後端面に当接し、互いのフランジ部１６Ａ、２０Ａを軸方向に沿って離す方向に付勢する。これにより、前回転筒２０を回転させる際、一定のトルクが付与され、良好な操作感を与えることが可能になる。
【００２８】
第２レンズＬ２は、前固定筒１６の内周部に収容されている。この第２レンズＬ２を保持するレンズ保持枠Ｆ２の外周部には、３本のカムピン３４が等間隔（１２０°間隔）に配置されている。前固定筒１６の周面には、この３本のカムピン３４が個別に係合する３本の直進溝３６が、撮影光軸Ｏと平行に形成されている。また、前回転筒２０の内周面には、この３本のカムピン３４が個別に係合する３本のカム溝３８が、所定の軌跡で形成されている。第２レンズＬ２は、この３本のカムピン３４が、それぞれ前固定筒１６に形成された３本の直進溝３６に係合されるとともに、前回転筒２０の内周面に形成された３本のカム溝３８に係合された状態で前固定筒１６の内周部に収容される。これにより、前回転筒２０を回転させると、３本のカムピン３４とカム溝３８と直進溝３６との作用で第２レンズＬ２が撮影光軸Ｏに沿って前後移動する。
【００２９】
後固定筒１８は、円筒状に形成されており、その先端外周にフランジ部１８Ａが形成されている。後固定筒１８は、このフランジ部１８Ａを前固定筒１６の後端面に連結用ネジ４０でネジ止めすることにより、前固定筒１６の後端同軸上に連結される。このため、前固定筒１６の後端面には、連結用ネジ４０を螺合させるための連結用ネジ穴４２が撮影光軸Ｏと平行に形成され（図４参照）、後固定筒１８のフランジ部１８Ａには、連結用ネジ４０を通すための連結用貫通穴４４が撮影光軸Ｏと平行に貫通して形成されている（図３参照）。この連結用ネジ穴４２と連結用貫通穴４４は、撮影光軸Ｏを中心とする同心円上の３カ所に等間隔に配置されており、後固定筒１８は、３カ所でネジ止めされて、前固定筒１６の後端面に固定される。
【００３０】
後固定筒１８の先端面には、第１嵌合部４６と第２嵌合部４８とが形成されている（図３参照）。第１嵌合部４６は、撮影光軸Ｏを中心とした円環状の凹部として形成されており、その内径は前回転筒２０の外径に対応して形成されている。第２嵌合部４８は、第１嵌合部４６の底部に撮影光軸Ｏを中心とした円環状の凹部として形成されており、その内径は前固定筒１６の外径に対応して形成されている。この結果、後固定筒１８を前固定筒１６に連結すると、前固定筒１６の後端部が第２嵌合部４８の内側に嵌合するとともに、前回転筒２０の後端部が第１嵌合部４６の内側に嵌合する。
【００３１】
第３レンズＬ３は、第２嵌合部４８の内側に嵌め込まれており、後固定筒１８を前固定筒１６に連結すると、前固定筒１６と後固定筒１８との間に挟まれて、所定位置に取り付けられる。
【００３２】
また、絞りユニット１４は、第２嵌合部４８の底面に絞りユニット固定用ネジ５０でネジ止めされて、後固定筒１８に取り付けられる。
【００３３】
なお、この絞りユニット１４を含む第３レンズＬ３の取付構造については、後に詳述する。
【００３４】
後回転筒２２は、円筒状に形成されており、その内径は、後固定筒１８の外径に対応して形成されている。後回転筒２２は、その内周部を後固定筒１８の外周部に嵌めることにより、後固定筒１８の外周部を摺動自在に支持される。
【００３５】
また、この後回転筒２２の内周部後端には、周方向の３カ所にピン６０が突出して形成されている。この３本のピン６０は、後固定筒１８の外周部後端に周方向に沿って形成されたガイド溝６２に係合されている。後回転筒２２は、この３本のピン６０が、ガイド溝６２に係合することにより、軸方向の移動が規制され、後固定筒１８の外周部の周りを回動自在に支持される。
【００３６】
また、この後回転筒２２の先端面には、周方向に沿って環状の凹部６４が形成されている。この凹部６４には、リング状に形成された波形バネ６６が嵌め込まれている。波形バネ６６は、後回転筒２２が後固定筒１８の外周部に装着されると、後固定筒１８のフランジ部１８Ａの後端面に当接し、後回転筒２２を後固定筒１８のフランジ部１８Ａから離す方向に付勢する。これにより、後回転筒２２を回転させる際、一定のトルクが付与され、良好な操作感を与えることが可能になる。
【００３７】
第４レンズＬ４は、後固定筒１８の内周部に収容されている。この第４レンズＬ４を保持するレンズ保持枠Ｆ４の外周部には、３本のカムピン６８が等間隔（１２０°間隔）に配置されている。後固定筒１８の周面には、この３本のカムピン６８が個別に係合する３本の直進溝７０が、撮影光軸Ｏと平行に形成されている。また、後回転筒２２の内周面には、この３本のカムピン６８が個別に係合する３本のカム溝７２が、所定の軌跡で形成されている。第４レンズＬ４は、この３本のカムピン６８が、それぞれ後固定筒１８に形成された３本の直進溝７０に係合されるとともに、後回転筒２２の内周面に形成された３本のカム溝７２に係合された状態で後固定筒１８の内周部に収容される。これにより、後回転筒２２を回転させると、３本のカムピン６８とカム溝７２と直進溝７０との作用で第４レンズＬ４が撮影光軸Ｏに沿って前後移動する。
【００３８】
以上のように構成されたレンズ装置１０は、前回転筒２０を回転させると、その回転量に応じて、第２レンズＬ２が撮影光軸Ｏ上を前後移動し、この結果、ズーミングが行われる。また、後回転筒を回転させると、その回転量に応じて、第４レンズＬ４が撮影光軸Ｏ上を前後移動し、この結果、フォーカシングが行われる。
【００３９】
なお、レンズ装置１０の後端部には、撮像ユニット（図示せず）が取り付けられる。第１レンズＬ１に入射した光は、第２レンズＬ２、絞りユニット１４、第３レンズＬ３、第４レンズＬ４を通り、撮像ユニットに備えられた撮像素子の受光面に入射される。
【００４０】
＜第３レンズＬ３の取付構造＞
図２は、第３レンズと絞りユニットの組み立て展開図である。
【００４１】
上記のように、第３レンズＬ３は、後固定筒１８の先端内周部に形成された第２嵌合部４８の内側に嵌め込み、前固定筒１６を後固定筒１８に連結することにより、前固定筒１６と後固定筒１８との間で挟持されて、所定位置に取り付けられる。また、絞りユニット１４は、第２嵌合部４８内にネジ止めされて、所定位置に取り付けられる。
【００４２】
図４に示すように、前固定筒１６の後端面には、後固定筒１８に連結用ネジ４０で連結するための連結用ネジ穴４２が３カ所に形成されている。この３つの連結用ネジ穴４２は、前固定筒１６の軸を中心とした同心円上に等間隔（１２０°間隔）に配置されており、それぞれ前固定筒１６の後端面から軸と平行に突出して形成された角柱状の前締結部１００に形成されている。
【００４３】
一方、図３に示すように、後固定筒１８の第２嵌合部４８の底面部には、前固定筒１６を固定する際、連結用ネジ４０を通すための連結用貫通穴４４が３カ所に形成されている。この３つの連結用貫通穴４４は、後固定筒１８の軸を中心とした同心円上に等間隔（１２０°間隔）に配置されており、それぞれ第２嵌合部４８の底面部から軸と平行に突出して形成された角板状の後締結部１０２に形成されている。
【００４４】
また、図４に示すように、前固定筒１６の後端面には、後固定筒１８に連結する際、前固定筒１６を後固定筒１８に対して所定位置に位置決めするための前固定筒位置決めピン１０６が軸と平行に突出して形成されている。一方、図３に示すように、後固定筒１８の第２嵌合部４８の底面部には、前固定筒位置決めピン１０６が嵌合される前固定筒位置決め溝１０８が形成されている。この前固定筒位置決め溝１０８は、第２嵌合部４８の底面部から突出して形成された角板状の突起部１１０に形成されている。
【００４５】
前固定筒１６は、後固定筒１８に連結する際、この前固定筒位置決めピン１０６を前固定筒位置決め溝１０８に嵌合させて、後固定筒１８に連結する。これにより、前固定筒１６が後固定筒１８に対して所定位置に取り付けられる。そして、このようにして、前固定筒１６を後固定筒１８に位置決めして取り付けることにより、前締結部１００の端面と後締結部１０２の端面とが当接し、連結用ネジ穴４２と連結用貫通穴４４とが互いに同軸上に位置する。
【００４６】
図３に示すように、後固定筒１８の第２嵌合部４８の底部には、内周縁に沿って環状の当接部１１２が突出して形成されている。この当接部１１２の先端面は、後固定筒１８の軸に対して直交して形成されている。
【００４７】
第３レンズＬ３は、そのレンズ保持枠Ｆ１の外周部にフランジ部１０４が形成されおり、そのフランジ部１０４の後端面（基準面）１０４Ｂは、第３レンズＬ３の光軸と直交して形成されている。また、そのフランジ部１０４の前端面１０４Ｆも、第３レンズＬ３の光軸と直交して形成されている。
【００４８】
第３レンズＬ３は、そのレンズ保持枠Ｆ３のフランジ部１０４を第２嵌合部４８の内側に嵌めて、後固定筒１８に取り付けられる。この際、第２嵌合部４８の内側に嵌められた第３レンズＬ３のレンズ保持枠Ｆ３は、そのフランジ部１０４の後端面１０４Ｂが、第２嵌合部４８の当接部１１２の先端面に当接して、第２嵌合部４８の内側に保持される。
【００４９】
第２嵌合部４８の底面部には、第３レンズＬ３のレンズ保持枠Ｆ３を所定位置に位置決めするための円柱状の第１の第３レンズ位置決めピン１１４と第２の第３レンズ位置決めピン１１６とが軸と平行に突出して形成されている。第１の第３レンズ位置決めピン１１４は、大径に形成されており、軸方向に所定の長さをもって形成されている。一方、第２の第３レンズ位置決めピン１１６は、小径に形成されており、軸方向に所定の長さをもって形成されている。
【００５０】
第３レンズＬ３を保持するレンズ保持枠Ｆ３のフランジ部１０４には、第１の第３レンズ位置決めピン１１４が嵌合される第１の第３レンズ位置決め穴１１８と、第２の第３レンズ位置決めピン１１６が嵌合される第２の第３レンズ位置決め穴１２０とが所定位置に形成されている。第１の第３レンズ位置決め穴１１８は、第１の第３レンズ位置決めピン１１４に合致して形成されており、第２の第３レンズ位置決め穴１２０は、第２の第３レンズ位置決めピン１１６が嵌合可能な長穴状に形成されている。
【００５１】
第３レンズＬ３は、そのレンズ保持枠Ｆ３を第２嵌合部４８に嵌め込んで取り付ける際、図５に示すように、第１の第３レンズ位置決め穴１１８に第１の第３レンズ位置決めピン１１４を嵌め込むとともに、第２の第３レンズ位置決め穴１２０に第２の第３レンズ位置決めピン１１６を嵌め込んで取り付ける。これにより、その光軸が撮影光軸Ｏ上に位置した状態で取り付けられる。
【００５２】
第２嵌合部４８に嵌め込まれた第３レンズＬ３のレンズ保持枠Ｆ３の上には、図６に示すように、リング状に形成された付勢リング１２２が取り付けられる。
【００５３】
付勢リング１２２は、リング状に形成された付勢リング本体１２４と、その付勢リング本体１２４の外周部の３カ所に一体的に形成されたバネ片１２６とで構成されている。
【００５４】
付勢リング本体１２４は、薄板のリング状に形成されており、その後端面（第３レンズＬ３のレンズ保持枠Ｆ３の上に乗せられる面）は、軸と直交するように平坦に形成されている。
【００５５】
バネ片１２６は、付勢リング本体１２４から径方向に延びる基端部１２６Ａと、その基端部１２６Ａから周方向に延びるバネ部１２６Ｂとで構成されており、バネ部１２６Ｂが軸方向の前側に屈曲して形成されている。
【００５６】
第２嵌合部４８の底面部には、付勢リング１２２を第３レンズＬ３のレンズ保持枠Ｆ３上の所定位置に位置決めするための第１の付勢リング位置決めピン１２８と第２の付勢リング位置決めピン１３０とが所定位置に突出して形成されている。この第１の付勢リング位置決めピン１２８と第２の付勢リング位置決めピン１３０は、ともに所定高さの円柱状に形成されており、後固定筒１８の軸と平行に形成されている。
【００５７】
付勢リング１２２の付勢リング本体１２４には、この第１の付勢リング位置決めピン１２８が嵌合する第１の付勢リング位置決め穴１３２と、第２の付勢リング位置決めピン１３０が嵌合される半円状の第２の付勢リング位置決め凹部１３４とが所定位置に形成されている。
【００５８】
付勢リング１２２は、第２嵌合部４８に嵌め込んで取り付ける際、図６に示すように、第１の付勢リング位置決め穴１３２に第１の付勢リング位置決めピン１２８を嵌合させるとともに、第２の付勢リング位置決め凹部１３４に第２の付勢リング位置決めピン１３０を嵌合させて取り付ける。これにより、各バネ片１２６が所定位置に位置して、付勢リング１２２が、第２嵌合部４８内に取り付けられる。
【００５９】
ここで、本実施の形態のレンズ装置１０において、付勢リング１２２は、図６、図７に示すように、各バネ片１２６が、第２嵌合部４８内に形成された後締結部１０２の近傍に位置するように位置決めされる（各バネ片１２６が後締結部１０２に並列して配置されるように位置決めされる。）。
【００６０】
なお、第３レンズＬ３のレンズ保持枠Ｆ３のフランジ部１０４には、この第１の付勢リング位置決めピン１２８と第２の付勢リング位置決めピン１３０とが挿通される第１の付勢リング位置決めピン挿通穴１３６と第２の付勢リング位置決めピン挿通穴１３８とが所定位置に形成されている。第３レンズＬ３のレンズ保持枠Ｆ３を第２嵌合部４８に嵌め込む際は、この第１の付勢リング位置決めピン挿通穴１３６に第１の付勢リング位置決めピン１２８を通すとともに、第２の付勢リング位置決めピン挿通穴１３８に第２の付勢リング位置決めピン１３０を通して嵌め込む。
【００６１】
図４に示すように、前固定筒１６の後端面には、前固定筒１６を後固定筒１８に連結した際、付勢リング１２２のバネ片１２６のバネ部１２６Ｂに当接して、バネ片１２６を押圧する押圧部１４０が３カ所に形成されている。各押圧部１４０は、角柱状に形成されおり、前締結部１００に並列して配置されている。付勢リング１２２は、前固定筒１６を後固定筒１８に連結すると、そのバネ片１２６のバネ部１２６Ｂに押圧部１４０が当接し、その押圧部１４０に押圧されて、第３レンズＬ３のレンズ保持枠Ｆ３を第２嵌合部４８の底面に向けて付勢する。この結果、第３レンズＬ３のレンズ保持枠Ｆ３のフランジ部１０４の後端面１０４Ｂが、当接部１１２の先端面に押し当てられ、第３レンズＬ３が、撮影光軸Ｏに対して直交するように保持される（光軸が平行に保持される。）。
【００６２】
絞りユニット１４は、図８に示すように、絞り１４２と、その絞り１４２を開閉駆動する絞り駆動モータ１４４等が板状に形成された本体基板１４６の上に搭載されて構成されている。この絞りユニット１４は、本体基板１４６の２カ所を第１の付勢リング位置決めピン１２８と第２の付勢リング位置決めピン１３０の頂部に絞りユニット固定用ネジ５０でネジ止めして、後固定筒１８に取り付けられる。
【００６３】
このため、第１の付勢リング位置決めピン１２８と第２の付勢リング位置決めピン１３０には、絞りユニット固定用ネジ５０が螺合される絞りユニット固定用ネジ穴１４８が形成されている。また、絞りユニット１４の本体基板１４６には、絞りユニット固定用ネジ５０が通される絞りユニット固定用貫通穴１５０が形成されている。
【００６４】
絞りユニット１４は、この絞りユニット固定用貫通穴１５０の位置と絞りユニット固定用ネジ穴１４８の位置を合わせて、付勢リング１２２の上から第２嵌合部４８に嵌め込むことにより、第２嵌合部４８内の所定位置に取り付けられる。そして、絞りユニット固定用ネジ５０を絞りユニット固定用貫通穴１５０に通して、絞りユニット固定用ネジ穴１４８に螺合させることにより、後固定筒１８に固定される。
【００６５】
なお、後固定筒１８は、取り付けられた絞りユニット１４の絞り駆動モータ１４４が干渉しないように、フランジ部１８Ａが一部切り欠いて形成されている（図５参照）。
【００６６】
＜第３レンズの組み付け方法＞
まず、第３レンズＬ３を後固定筒１８に取り付ける。第３レンズＬ３は、後固定筒１８の先端内周部に形成された第２嵌合部４８の内側にレンズ保持枠Ｆ３を嵌め込んで取り付ける。
【００６７】
この際、レンズ保持枠Ｆ３は、図５に示すように、そのフランジ部１０４に形成された第１の第３レンズ位置決め穴１１８に第１の第３レンズ位置決めピン１１４を嵌め込むとともに、第２の第３レンズ位置決め穴１２０に第２の第３レンズ位置決めピン１１６を嵌め込んで、第２嵌合部４８に取り付ける。これにより、第３レンズＬ３が、後固定筒１８に対して、所定位置に位置決めされて取り付けられる（第３レンズＬ３の光軸が、撮影光軸Ｏ上に位置した状態で取り付けられる。）。
【００６８】
また、このように取り付けられることにより、第３レンズＬ３は、そのレンズ保持枠Ｆ３のフランジ部１０４に形成された第１の付勢リング位置決めピン挿通穴１３６に第１の付勢リング位置決めピン１２８が通されるとともに、第２の付勢リング位置決めピン挿通穴１３８に第２の付勢リング位置決めピン１３０が通される。
【００６９】
なお、第３レンズＬ３は、後固定筒１８に後回転筒２２及び第４レンズＬ４を組み付けた状態で後固定筒１８に取り付ける。
【００７０】
次に、付勢リング１２２を後固定筒１８に取り付ける。付勢リング１２２は、第３レンズＬ３のレンズ保持枠Ｆ３の上に重ねて、第２嵌合部４８に取り付ける。
【００７１】
この際、付勢リング１２２は、図６に示すように、その付勢リング本体１２４に形成された第１の付勢リング位置決め穴１３２に第１の付勢リング位置決めピン１２８を嵌合させるとともに、第２の付勢リング位置決め凹部１３４に第２の付勢リング位置決めピン１３０を嵌合させて、第２嵌合部４８に取り付ける。これにより、各バネ片１２６が所定位置に位置して、付勢リング１２２が第２嵌合部４８内に取り付けられる。
【００７２】
次に、絞りユニット１４を後固定筒１８に取り付ける。絞りユニット１４は、第１の付勢リング位置決めピン１２８と第２の付勢リング位置決めピン１３０の頂部に絞りユニット固定用ネジ５０でネジ止めして、後固定筒１８に取り付ける。この場合、まず、絞りユニット１４は、その本体基板１４６に形成された絞りユニット固定用貫通穴１５０の位置と絞りユニット固定用ネジ穴１４８の位置を合わせて、第２嵌合部４８に取り付ける。そして、絞りユニット固定用ネジ５０を絞りユニット固定用貫通穴１５０に通して、絞りユニット固定用ネジ穴１４８に螺合させる。これにより、後固定筒１８に固定される。
【００７３】
絞りユニット１４が、後固定筒１８に固定して取り付けられることにより、第２嵌合部４８に取り付けられた付勢リング１２２は、この絞りユニット１４によって前端面が覆われる。これにより、以後、付勢リング１２２と第３レンズＬ３が、第２嵌合部４８から外れるのが防止される。
【００７４】
次に、前固定筒１６を後固定筒１８に取り付ける。前固定筒１６は、その後端部を後固定筒１８の先端内周部に形成された第２嵌合部４８に嵌め込んで、後固定筒１８に取り付ける。この際、前固定筒１６は、その後端面から突出して形成された前固定筒位置決めピン１０６を後固定筒１８の第２嵌合部４８の底部に形成された前固定筒位置決め溝１０８に嵌合させて、後固定筒１８に取り付ける。これにより、前固定筒１６が後固定筒１８に対して所定位置に取り付けられる。
【００７５】
なお、前固定筒１６は、第２レンズＬ２及び前回転筒２０を組み付けた状態で後固定筒１８に取り付ける。この結果、前回転筒２０の後端部が、後固定筒１８の先端内周部に形成された第１嵌合部４６に嵌合される。
【００７６】
上記のようにして、前固定筒１６を後固定筒１８に位置決めして取り付けると、前固定筒１６の後端面の３カ所に形成された前締結部１００の端面と、後固定筒１８の第２嵌合部４８の底部３カ所に形成された後締結部１０２の端面とが互いに当接し、その前締結部１００に形成された連結用ネジ穴４２と、後締結部１０２に形成された連結用貫通穴４４とが互いに同軸上に位置する。
【００７７】
また、後固定筒１８の第２嵌合部４８に取り付けられた付勢リング１２２の各バネ片１２６のバネ部１２６Ｂに、前固定筒１６の後端面の３カ所に形成された押圧部１４０が当接し、付勢リング１２２を第２嵌合部４８の底面部に向けて押圧する。この結果、付勢リング１２２の下に配置された第３レンズＬ３のレンズ保持枠Ｆ３が、付勢リング１２２に押されて、その後端面（基準面）１０４Ｂが、第２嵌合部４８の底部に形成された当接部１１２の先端面に押圧当接される。これにより、第３レンズＬ３が、後固定筒１８の軸（撮影光軸Ｏ）に対して垂直な姿勢で保持される（第３レンズＬ３の光軸が、撮影光軸Ｏと平行な状態で保持される）。
【００７８】
この状態で各連結用貫通穴４４に連結用ネジ４０を通し、連結用ネジ穴４２に螺合させる。これにより、前固定筒１６が後固定筒１８に固定される。また、これにより、第３レンズＬ３は、そのレンズ保持枠Ｆ３が、常に付勢リング１２２によって付勢された状態となり、付勢リング１２２を介して、前固定筒１６と後固定筒１８との間に挟持された状態で固定される。
【００７９】
以上一連の工程で第３レンズＬ３が、レンズ鏡胴１２に組み付けられる。
【００８０】
組み付けられた第３レンズＬ３は、付勢リング１２２を介して、前固定筒１６と後固定筒１８との間に挟持された状態で固定されているので、ネジ止めしたときのように、レンズ保持枠Ｆ３に撓みが生じることがない。このため、光軸のズレや傾きが生じることがなく、高い光学性能を有するレンズ装置を安定して製造することができる。
【００８１】
また、組み付けも所定位置に嵌め込むだけなので、簡単に組み付けることができる。
【００８２】
また、本実施の形態のレンズ装置１０では、絞りユニット１４を取り付けるための部材と、付勢リング１２２の位置決めを行う部材とを兼用しているので（第１の付勢リング位置決めピン１２８と第２の付勢リング位置決めピン１３０）、部品点数を削減することができるとともに、組み立て工数も削減することができる。
【００８３】
さらに、組み付けた絞りユニット１４によって付勢リング１２２と第３レンズＬ３の脱落を防止できるので、組み立て中に付勢リング１２２や第３レンズＬ３の位置がずれたり、外れたりすることがない。したがって、組み立ても簡単に行うことができる。
【００８４】
また、本実施の形態のレンズ装置１０では、付勢リング１２２の各バネ片１２６が、連結用ネジ穴４２に近接して配置されるように、付勢リング１２２を位置決めして取り付けているので、付勢リング１２２の各バネ片１２６を均一な力で安定して押圧することができる。
【００８５】
なお、本実施の形態では、前固定筒１６と後固定筒１８とを３カ所でネジ止めしているが、前固定筒１６と後固定筒１８とを固定する箇所の数は、これに限定されるものではない。ただし、少なくとも３カ所でネジ止めすることが好ましく、ネジ止めする箇所は、同心円上に等間隔に設けることが好ましい。また、この場合、付勢リング１２２に設けるバネ片１２６もネジ止めする箇所と同じ数だけ設け、ネジ止めする部分に近接して配置することが好ましい。
【符号の説明】
【００８６】
１０…レンズ装置、Ｌ１…第１レンズ、Ｆ１…レンズ保持枠、Ｌ２…第２レンズ、Ｆ２…レンズ保持枠、Ｌ３…第３レンズ、Ｆ３…レンズ保持枠、Ｌ４…第４レンズ、Ｆ４…レンズ保持枠、１２…レンズ鏡胴、１４…絞りユニット、１６…前固定筒、１６Ａ…フランジ部、１８…後固定筒、１８Ａ…フランジ部、２０…前回転筒、２０Ａ…フランジ部、２２…後回転筒、２４…凹部、２５…フランジ部、２６…ピン、２８…ガイド溝、３０…凹部、３２…波形バネ、３４…カムピン、３６…直進溝、３８…カム溝、４０…連結用ネジ、４２…連結用ネジ穴、４４…連結用貫通穴、４６…第１嵌合部、４８…第２嵌合部、５０…絞りユニット固定用ネジ、６０…ピン、６２…ガイド溝、６４…凹部、６６…波形バネ、６８…カムピン、７０…直進溝、７２…カム溝、１００…前締結部、１０２…後締結部、１０４…フランジ部、１０４Ｂ…フランジ部の後端面（基準面）、１０４Ｆ…フランジ部の前端面、１０６…前固定筒位置決めピン、１０８…前固定筒位置決め溝、１１０…突起部、１１２…当接部、１１４…第１の第３レンズ位置決めピン、１１６…第２の第３レンズ位置決めピン、１１８…第１の第３レンズ位置決め穴、１２０…第２の第３レンズ位置決め穴、１２２…付勢リング、１２４…付勢リング本体、１２６…バネ片、１２６Ａ…基端部、１２６Ｂ…バネ部、１２８…第１の付勢リング位置決めピン、１３０…第２の付勢リング位置決めピン、１３２…第１の付勢リング位置決め穴、１３４…第２の付勢リング位置決め凹部、１３６…第１の付勢リング位置決めピン挿通穴、１３８…第２の付勢リング位置決めピン挿通穴、１４０…押圧部、１４２…絞り、１４４…絞り駆動モータ、１４６…本体基板、１４８…絞りユニット固定用ネジ穴、１５０…絞りユニット固定用貫通穴
【図１】
2011095617.tif 000003
【図２】
2011095617.tif 000004
【図３】
2011095617.tif 000005
【図４】
2011095617.tif 000006
【図５】
2011095617.tif 000007
【図６】
2011095617.tif 000008
【図７】
2011095617.tif 000009
【図８】
2011095617.tif 000010